(57)【要約】【課題】球抜きを指示する指示操作部の操作性を維持しつつ、不正による球抜きを確実に防止する。【解決手段】案内路１０４が遊技球払出流路１１０と連通しているときは、抜取りボタン１１４が操作されると、球皿部２４へパチンコ球が排出されることになり、これが不正に行われる可能性がある。そこで、案内路１０４が遊技球払出流路１１０と連通しているとき（切替弁１０８が第２の位置にあるとき）は、プレート１１８によって抜取りボタン１１４を遮蔽し、物理的に押圧操作不可能な状態とした。これにより、遊技進行中（開店中）に球抜きボタン１１４が押圧操作されることがなく、不正行為を防止することができる。【選択図】        図５
2004298535.tif 000002
【特許請求の範囲】
【請求項１】
遊技球を遊技盤面に発射することで遊技が進行され、入賞口に入賞することで、当該入賞口に設定された数量の遊技球を貯留タンクから送り出し、遊技者が受け取り可能な受け皿へ案内する遊技球払出流路を備えた遊技機であって、
前記遊技球流路から分岐され、前記貯留タンクから遊技球を抜き取る際の遊技球抜取流路と、
前記遊技球払出流路と、前記遊技抜取流路との分岐点に設けられ、当該分岐点の上流側から流動する遊技球の流動方向を遊技球抜取流路へ案内する第１の位置及び遊技球払出流路へ案内する第２の位置へ選択的に切り替える切替弁と、
前記球抜きの実行の際に操作され、操作することで球抜き指示する球抜き指示操作部と、
切替弁が第１の位置に位置決めされているときには前記指示操作部の操作を許可し、切替弁が第２の位置に位置決めされているときには前記指示操作部の操作を禁止する操作状態変更手段と、
を有する遊技機。
【請求項２】
前記操作状態変更手段が、前記切替弁と共に移動し、当該切替弁が、前記第１の位置のとき前記指示操作部を露出し、第２の位置のとき前記指示操作部を遮蔽するプレートであることを特徴とする請求項１記載の遊技機。
【請求項３】
前記操作状態変更手段が、
前記切替弁が第１の位置にあることを検出する第１のセンサと、
前記指示操作部の操作状態を電気的に検出する操作センサと、
前記第１のセンサで切替弁が第１の位置にあること、並びに前記操作センサで指示操作部が操作されたことを同時に検出したときのみ、前記指示操作部の操作を有効とする球抜き操作有効手段と、
で構成されていることを特徴とする請求項１記載の遊技機。
【請求項４】
前記操作状態変更手段が、
前記切替弁が第２の位置にあることを検出する第２のセンサと、
前記第２のセンサで切替弁が第２の位置にあることを検出したときのみ、前記賞球払出を有効する賞球払出操作有効手段と、
をさらに備えることを特徴とする請求項３記載の遊技機。
【発明の詳細な説明】
【０００１】
【発明の属する技術分野】
本発明は、遊技球を遊技盤面に発射することで遊技が進行され、入賞口に入賞することで、当該入賞口に設定された数量の遊技球を貯留タンクから送り出し、遊技者が受け取り可能な受け皿へ案内する遊技球払出流路を備えた遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り処理）を持つパチンコ機がある。
【０００３】
ここで、始動入賞口や大入賞口、或いは遊技盤上の他の入賞口等にパチンコ球が入賞すると、当該入賞口毎に設定された賞球数のパチンコ球が払い出されるようになっている。
【０００４】
特に、大入賞口への入賞（大当たり処理中）では、連続した入賞が想定されるため、大量のパチンコ球をパチンコ機に設けられた貯留タンクへ貯留しておく必要がある。
【０００５】
ここで、貯留タンク内のパチンコ球は、通常は貯留状態を維持していればよいが、パチンコ機のメンテナンスや、パチンコ球自体の洗浄を行う際、貯留タンクから全てのパチンコ球を抜き取る必要がある。
【０００６】
このため、貯留タンクから遊技者が受け取り可能な受け皿へと連通するパチンコ球の流路の途中に分岐路（球抜き路）を設け、上記メンテナンス等では切替弁を操作して球抜き路に流路を切り替えるようにしている（特許文献１参照）。この切替弁の切替後、球抜きボタンを操作することで、貯留タンクに貯留されたパチンコ球が連続して流路へ送り出され、球抜き路を通過して球抜き作業を実行することができる。
【０００７】
なお、特許文献１では、この切替弁の球抜き路側への切替後、元に戻すのを忘れた場合に起こり得る不具合を問題点として挙げ、メンテナンス終了後（次の開店時等）当該切替弁の球抜き側への切替状態を報知することが提案されている。
【０００８】
【特許文献１】
特開２０００−２１８０１１公報
【０００９】
【発明が解決しようとする課題】
しかしながら、従来の切替弁と、球抜きボタンを用いた球抜き構造では、例えば、切替弁を通常の状態（受け皿への案内路が確保された状態）で球抜きボタンが操作されると、不正にパチンコ球を受け皿へ送り込むことが可能であり、球抜きボタンの位置等に細心の注意を払う必要があった。
【００１０】
反面、球抜きボタンが操作しにくい位置にあったり、操作性が悪いと、本来の球抜きの際にボタン操作が煩雑となり、作業性が低下することになる。
【００１１】
本発明は上記事実を考慮し、球抜きを指示する指示操作部の操作性を維持しつつ、不正による球抜きを確実に防止することができる遊技機を得ることが目的である。
【００１２】
【課題を解決するための手段】
請求項１に記載の発明は、遊技球を遊技盤面に発射することで遊技が進行され、入賞口に入賞することで、当該入賞口に設定された数量の遊技球を貯留タンクから送り出し、遊技者が受け取り可能な受け皿へ案内する遊技球払出流路を備えた遊技機であって、前記遊技球流路から分岐され、前記貯留タンクから遊技球を抜き取る際の遊技球抜取流路と、前記遊技球払出流路と、前記遊技抜取流路との分岐点に設けられ、当該分岐点の上流側から流動する遊技球の流動方向を遊技球抜取流路へ案内する第１の位置及び遊技球払出流路へ案内する第２の位置へ選択的に切り替える切替弁と、前記球抜きの実行の際に操作され、操作することで球抜き指示する球抜き指示操作部と、切替弁が第１の位置に位置決めされているときには前記指示操作部の操作を許可し、切替弁が第２の位置に位置決めされているときには前記指示操作部の操作を禁止する操作状態変更手段と、を有している。
【００１３】
請求項１記載の発明によれば、切替弁が第１の位置にあるときは指示操作部の操作が許可されるため、球抜きを指示することができる。言い換えれば、球抜きの指示の際は、必ず切替弁が第１の位置にあるため、遊技球が遊技球払出流路へ流動することはない。
【００１４】
一方、切替弁が第２の位置にあるときは指示操作部の操作が禁止されるため、球抜き指示自体ができない。すなわち、切替弁が第２の位置にあるときは、球抜き指示操作そのものを阻止するため、不正行為を防止することができる。
【００１５】
請求項２に記載の発明は、前記請求項１に記載の発明において、前記操作状態変更手段が、前記切替弁と共に移動し、当該切替弁が、前記第１の位置のとき前記指示操作部を露出し、第２の位置のとき前記指示操作部を遮蔽するプレートであることを特徴としている。
【００１６】
請求項２に記載の発明によれば、切替弁の移動と共にプレートを移動させる。このプレートは、第１の位置では、指示操作部を露出する。露出された指示操作部は操作が可能である。従って、第１の位置のときは、球抜きを指示することができる。
【００１７】
一方、切替弁が第２の位置になると、プレートは指示操作部を遮蔽する。このため、物理的に指示操作部の操作ができなくなる。
【００１８】
請求項３に記載の発明は、前記請求項１に記載の発明において、前記操作状態変更手段が、前記切替弁が第１の位置にあることを検出する第１のセンサと、前記指示操作部の操作状態を電気的に検出する操作センサと、前記第１のセンサで切替弁が第１の位置にあること、並びに前記操作センサで指示操作部が操作されたことを同時に検出したときのみ、前記指示操作部の操作を有効とする球抜き操作有効手段と、で構成されていることを特徴としている。
【００１９】
請求項３に記載の発明によれば、切替弁が第１の位置にあることを第１のセンサで検出し、この検出状態で操作センサによって指示操作部の操作を検出することで、球抜き操作が可能となる。この第１のセンサと操作センサの検出判別は、物理的にそれぞれのセンサの信号線を直列につないでもよいし、アンドをとるような論理回路を構成したり、ソフト的に判断するようにしてもよい。
【００２０】
請求項４に記載の発明は、前記請求項３に記載の発明において、前記操作状態変更手段が、前記切替弁が第２の位置にあることを検出する第２のセンサと、前記第２のセンサで切替弁が第２の位置にあることを検出したときのみ、前記賞球払出を有効する賞球払出操作有効手段と、をさらに備えることを特徴としている。
【００２１】
請求項４に記載の発明によれば、上記請求項３において、切替弁が第２の位置にあることを検出する第２のセンサを設け、賞球払出操作有効手段によって、この第２のセンサで切替弁が第２の位置にあることを検出した状態で、賞球払出を有効する。これにより、遊技球の賞球払出及び球抜きの全てを管理することができる。
【００２２】
なお、上記請求項２において、プレートによって指示操作部を物理的に露出或いは遮蔽する構成と、請求項３又は請求項４において、電気的に第１のセンサ（並びに第２のセンサ）及び操作センサの検出状態によって球抜き指示（並びに賞球払出）を管理する構成と、を併用してもよい。
【００２３】
【発明の実施の形態】
（第１の実施の形態）
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００２４】
内枠１４には、複数の表示灯６２、６３や中高音用スピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２５】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２６】
一体皿２６は、その一側部（図１の左辺部）が内枠１４に対して開閉可能に取付けられている。一体皿２６の前面には、左側下部に灰皿２８が配置され、右側下部には発射装置（図示省略）から発射する打球の飛距離を調整するための発射ハンドル３０が設けられている。
【００２７】
また内枠１４の窓部には、遊技盤載置台に載せて交換可能とされた遊技盤３２が窓部に対応して設置されている。
【００２８】
図２に示される如く、遊技盤３２は、外バンド３６及び内バンド３８によって囲まれた略円形状の遊技領域４０が形成されている。
【００２９】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００３０】
図３には、上記パチンコ機１０を裏面側から見た正面図が示されている。
【００３１】
パチンコ機１０の上部には、パチンコ球を貯留する貯留タンク１００が設けられており、例えば、ホールに設備済みのパチンコ球流動路からパチンコ球を受け取り、予め必要量のパチンコ球を貯留しておく構成となっている。
【００３２】
貯留タンクの図３の右端部には、整列ユニット１０２が配設されている。整列ユニット１０２では、貯留タンク１００から送られてくるパチンコ球を１列また２列に整列させ、パチンコ機１０の図３の右側面に沿って上下方向に設けられた案内路１０４を送り込むようになっている。
【００３３】
なお、整列ユニット１４には、送出モータの駆動力で回転するスプロケット（共に図示省略）が設けられ、前記案内路１０４へ案内するパチンコ球が１個１個カウントされるようになっている。これにより、遊技盤３２上の入賞口（始動入賞口４６や大入賞口４４等）に入賞した場合に、当該入賞口に予め設定された球数のパチンコ球の賞球払出しが可能となる。
【００３４】
案内路１０４の途中には、図３の状態で紙面手前側に略Ｕ字型のカーブ部１０４Ａが形成され、前記整列ユニット１０２から落下するパチンコ球の落下の勢いを減衰するようになっている。このカーブ部１０４Ａを通過したパチンコ球は、分岐部１０６へと至るようになっている。
【００３５】
分岐部１０６には、２位置を取り得る切替弁１０８が設けられており、通常はこの切替弁１０８は、パチンコ球をパチンコ機１０の前面にある球皿部２４へ送るための遊技球払出流路１１０へ案内するように切り替わっている（第２の位置）。このため、賞球払出しがなされると、そのパチンコ球は球皿部２４へと至り、遊技者が受け取ることができる。
【００３６】
一方、前記分岐部１０６の他の流路は遊技球抜取流路１１２とされ、パチンコ機１０のメンテナンスやパチンコ球の研磨（洗浄）等が必要な場合に貯留タンク１００に貯留されたパチンコ球を排出（球抜き）することができるようになっている。この場合、切替弁１０８は前記第２の位置とは相反する側に切替られ（第１の位置）、この状態で分岐部１０６の近傍に設けられた球抜きボタン（球抜指示操作部）１１４を押圧することで、前記送出モータを連続的に駆動させる。
【００３７】
図４及び図５には、分岐部１０６の詳細を示す拡大図が示されている。
【００３８】
前記案内路１０４と、遊技球払出流路１１０と、遊技球抜取流路１１２とは、それぞれ分岐部１０６で連通されることで、逆Ｙ字型に形成されている。
【００３９】
遊技球払出流路１１０と遊技球抜取流路１１２との角部には、軸１１６を介して前記切替弁１０８が回転可能に取付られている。これにより、切替弁１０８は、パチンコ球を案内路１０４から遊技球払出流路１１０へ案内する第２の位置（図５（Ａ）参照）と、案内路１０４から遊技球抜取流路１１２へ案内する第１の位置（図５（Ｃ）参照）と、の２位置へ選択的に移動可能となる。
【００４０】
また、分岐部１０６には、１／４円弧状のプレート１１８が設けられている。このプレート１１８は、直線部分の周端にリブ１１８Ａが形成され、１／４円の主面１１８Ｂの剛性を高めている。
【００４１】
このプレート１１８の円弧部分の中心近傍における前記主面１１８Ｂには、図４の紙面手前側へ延長された前記軸１１６が固定されている。これにより、切替弁１０８とプレート１１８とは一体的に移動することになる。
【００４２】
すなわち、操作者は、プレート１１８のリブ１１８Ａに指をかけて、軸１１６を中心に回転させることで、切替弁１０８を第１の位置と第２の位置へ選択的に移動させることができる。
【００４３】
ここで、前記遊技球抜取流路１１２の外側面に近い位置には、前記抜取きボタン１１４が配置されている。この抜取きボタン１１４は、前記プレート１１８の移動軌跡と干渉する位置となっており、切替弁１０８が第１の位置とされたときのプレート１１８の位置では、主面１１８Ｂによって遮蔽され、押圧操作ができない状態となる（図５（Ａ）及び（Ｂ）に示す操作禁止状態）。
【００４４】
一方、切替弁１０８が第１の位置とされときのプレート１１８の位置では、主面１１８Ｂは球抜きボタン１１４と重ならず、球抜きボタン１１４が露出され、押圧操作が可能な状態となる（図５（Ｃ）及び（Ｄ）に示す操作許可状態）。
【００４５】
すなわち、切替弁１０８が第１の位置にある場合は、貯留タンク１００に貯留されたパチンコ球は球皿部２４へと案内されるため、このような状態で球抜きボタン１１４が操作されるような好ましくない。第１の実施の形態では、このような切替弁１０８が第２の位置にあるときは、球抜きボタン１１４の押圧操作を物理的に不可能な状態とすることで、前記不具合を解消するものである。
【００４６】
以下に第１の実施の形態の作用を説明する。
【００４７】
まず、通常遊技の流れを説明する。
【００４８】
遊技者がハンドル３０を把持し、発射のための操作を行なうと、このハンドル操作量（回転量）に応じた強度で、パチンコ球が打ち出される。
【００４９】
パチンコ球が打ち出されると、外バンド３６及び内バンド３８に案内されて盤面３２の釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターンを選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００５０】
抽選の結果が当りの場合は、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００５１】
上記、通常の遊技や大当たり処理中において、始動入賞口４６や他の入賞口、或いは大入賞口４４にパチンコ球が入賞すると、それぞれの入賞口に対応した賞球数のパチンコ球が払い出される。この賞球払出は、貯留タンク１００に貯留されたパチンコ球を整列ユニット１０２によって整列させた状態で、送出モータを駆動し、スプロケットで１個１個カウントしながら案内路１０４へ送り出す。
【００５２】
ここで、遊技中は、分岐部１０６の切替弁１０８が第２の位置に切替えられており、案内路１０４と遊技球払出流路１１０とが連通状態となっているため、貯留タンク１００から送り出されたパチンコ球は球皿部２４へ排出され、遊技者が受け取ることができる。
【００５３】
一方、閉店後、パチンコ機１０のメンテナンスやパチンコ球の研磨（洗浄）が行われることがある。この場合、貯留タンク１００に貯留されているパチンコ球を排出する必要がある。
【００５４】
この場合、まず、切替弁１０８を第１の位置へ切り替える。この切替えは、プレート１１８のリブ１１８Ａを指先で引っ掛けて軸１１６を中心に回転させることでこのプレート１１８と共に切替弁１０８が軸１１６を中心に回転し、第２の位置へ切り替えることができる。
【００５５】
切替弁１０８が第１の位置になると、案内路１０４は、遊技球抜取流路１１２と連通する。この状態で、球抜きボタン１１４を押圧することで、配列ユニット１０２の送出モータを連続駆動させることができ、貯留タンク１００内のパチンコ球は次々と案内路１０４、遊技球抜取流路１１２を流動して、排出される。
【００５６】
ここで、第１の実施の形態では、分岐部１０６に切替弁１０８と共に移動するプレート１１８を設けることで、切替弁１０８が第２の位置にあるときには、前記抜取ボタン１１４をプレート１１８の主面１１８Ａによって遮蔽している。また、切替弁１０８が第１の位置にあるときには、プレート１１８を前記抜取りボタン１１４の配設位置から逸脱させ、当該抜取りボタン１１４を露出している。
【００５７】
すなわち、案内路１０４が遊技球払出流路１１０と連通しているときは、抜取りボタン１１４が操作されると、球皿部２４へパチンコ球が排出されることになり、これが不正に行われる可能性がある。
【００５８】
そこで、案内路１０４が遊技球払出流路１１０と連通しているとき（切替弁１０８が第２の位置にあるとき）は、プレート１１８によって抜取りボタン１１４を遮蔽し、物理的に押圧操作不可能な状態とした。
【００５９】
これにより、遊技進行中（開店中）に球抜きボタン１１４が押圧操作されることがなく、不正行為を防止することができる。
【００６０】
また、プレート１１８によって遮蔽する構造としたため、球抜きボタン１１４を不正行為を考慮して、操作しにくい場所に設置する必要がなく、メンテナンス時に操作し易い位置とすることができるため、メンテンナス作業（球抜き作業）効率もよくなる。
【００６１】
なお、第１の実施の形態では、プレート１１８を１／４円弧形状としたが、この形状に限定されるものではなく、切替弁１０８が第２の位置にあるときに球抜きボタン１１４の操作が不可能となり、切替弁１０８が第１の位置にあるときに球抜きボタン１１４の操作が可能となるような形状であればよい。
【００６２】
また、第１の実施の形態では、球抜きボタン１１４の操作可能な状態で、プレート１１８を完全に球抜きボタン１１４の設置位置から逸脱させる構造としたが、球抜きボタン１１４を常にプレート１１８の主面１１８Ｂの移動軌跡上となるように配置し、当該プレート１１８の主面１１８Ｂに球抜きボタン１１４を操作するための指が入る程度の貫通孔を設け、切替弁１０８が第１の位置にあるときのみ、この貫通孔を球抜きボタン１１４に合わせる（同軸とする）ようにしてもよい。
【００６３】
（第２の実施の形態）
以下に本発明の第２の実施の形態について説明する。なお、上記第１の実施の形態と同一構成部分については、同一の符号を付してその構成の説明を省略する。
【００６４】
第２の実施の形態の特徴は、前記切替弁１０８の切替状態を電気的に判別する点にある。
【００６５】
図６に示される如く、プレート１１８の軸１１６を中心とする回転範囲の両端位置（案内路１０４を挟んだ両側の位置）には、それぞれ第１のセンサ１２０、第２のセンサ１２２が配設されている。
【００６６】
図６（Ｃ）に示される如く、案内路１０４の左側に配設された第１のセンサ１２０は、切替弁１０８が第１の位置にあるときにプレート１１８のリブ１１８Ａと接触し接点が切り替わる（例えばオン状態）位置に配設され、接触型のリミットスイッチが適用されている。
【００６７】
一方、図６（Ａ）に示される如く、案内路１０４の左側に配設された第２のセンサ１２２は、切替弁１０８が第２の位置にあるときにプレート１１８のリブ１１８Ａと接触し接点が切り替わる（例えばオン状態）位置に配設され、接触型のリミットスイッチが適用されている。
【００６８】
なお、第１のセンサ１２０及び第２のセンサ１２２は、接触型に限らず、光電センサ等の非接触型のセンサであってもよい。
【００６９】
図７に示される如く、これらの第１のセンサ１２０及び第２のセンサ１２２の信号線１２４、１２６は、球抜き操作制御部１２８に接続されている。なお、この球抜き操作制御部１２８は、パチンコ機１０に搭載され、遊技の進行を監視かつ制御する主制御基板や、音声、ランプ、画像、賞球払出等をそれぞれ別々に制御する副制御基板の何れかの一部として構成してもよいが、この第２の実施の形態では、独立した制御部として説明する。
【００７０】
球抜き操作制御部１２８には、前記球抜きボタン１１４の信号線１３０が接続されている。これにより球抜き操作制御部１２８では、第１のセンサ１２０及び第２のセンサ１２２のオン・オフ状態、並びに球抜きボタン１１４の操作状態を認識することができるようになっている。
【００７１】
この球抜き操作制御部１２８では、第１のセンサ１２０がオンのときに球抜きボタン１１４が押圧操作（オン）された場合に、送出モータを制御する払出制御基板へ球抜き許可信号を送出する。また、第２のセンサ１２２がオンのときに主制御基板へ遊技許可信号を送出する。さらに、第１のセンサ１２０及び第２のセンサ１２２の双方がオンであったり、双方がオフであったりした場合は、切替弁１０８の動作不良とみなし、主制御基板へエラー信号を送出する。
【００７２】
以下に第２の実施の形態の作用を図８及び図９のフローチャートに従い説明する。
【００７３】
まず、図８のステップ１５０では第２のセンサ１２２がオンであるか否かが判断され、肯定判定されると切替弁１０８が第２の位置に切り替わっていると判断され、ステップ１５２へ移行する。
【００７４】
ステップ１５２では、前回までに球抜き可能状態であった場合になされている「球抜き可能状態」の報知を解除し、ステップ１５４へ移行する。ステップ１５４では、第１のセンサ１２０がオンであるか否かが判断され、否定判定された場合には、正常に切替弁１０８が第２の位置にあると判断され、ステップ１５６へ移行して遊技許可信号を送出する。また、ステップ１５４で肯定判定された場合には、第１のセンサ１２０及び第２のセンサ１２２が同時にオンすることはあり得ないため、ステップ１５８へ移行してエラー信号を送出する。このエラー信号により、例えば遊技の進行を中止することはもちろん、ランプや音声等で異常を報知することが好ましい。
【００７５】
次に、ステップ１５０において否定判定されると、ステップ１６０へ移行し、第１のセンサ１２０がオンであるか否かが判断される。
【００７６】
ステップ１２０において、否定判定された場合には、第１のセンサ１２０及び第２のセンサ１２２が同時にオフすることは、切替弁１０８が第１の位置と第２の位置以外の中途半端な位置にあるか、何らかの動作異常である判断し、ステップ１６２へ移行してエラー信号を送出する。このエラー信号により、例えば遊技の進行を中止することはもちろん、ランプや音声等で異常を報知することが好ましい。
【００７７】
また、ステップ１６０で肯定判定された場合には、確実に切替弁１０８が第１の位置に切り替わっていると判断され、ステップ１６４へ移行して、球抜き可能状態であることを報知し、ステップ１６６へ移行する。ステップ１６６では、球抜きボタン１１４が押圧操作（オン）されたか否かが判断され、否定判定された場合には、ステップ１５０へ戻る。
【００７８】
また、ステップ１６６で肯定判定されると、球抜きを開始するべくステップ１６８へ移行して許可信号を送出する。
【００７９】
この許可信号により、図９に示す球抜き動作制御ルーチン（払出制御基板での制御）が起動する。すなわち、ステップ１７０において送出モータの連続駆動を開始し、ステップ１７２へ移行する。ステップ１７２では、球抜き中であることを報知し、ステップ１７４へ移行する。ステップ１７４では、球抜きが完了したか否かが判断され、肯定判定されるとステップ１７６へ移行して送出モータの駆動を停止し、次いでステップ１７８で球抜き中の報知を解除してこのルーチンは終了する。
【００８０】
なお、上記第２の実施の形態では、球抜き抜取操作制御部１２８においてソフト的に第１のセンサ１２０及び第２のセンサ１２２及び球抜きボタン１１４の操作状態を判別するようにしたが、図１０に示される如く、単純に第２のセンサ１２２と球抜きボタン１１４とを直列に接続した信号線を球抜き操作制御部１２８へ接続するようにしてもよい。
【００８１】
上記第１の実施の形態によれば、プレート１１８の主面１１８Ｂによって、通常の遊技進行中では球抜きボタン１１４を遮蔽し、球抜きが必要な場合には切替弁１０８の切替動作に伴ってプレート１１８を回転移動させ、球抜きボタン１１４を露出する構造とした。すなわち、物理的に球抜きボタン１１４の操作を可能／不可能な状態とした。
【００８２】
一方、第２の実施の形態では、電気的にプレート１１８の位置を判別し、切替弁１０８が第１の位置にあるときのプレート１１８の位置を第１のセンサ１２０で検出したときのみ、球抜きボタン１１４の操作を有効とした。すなわち、電気的に球抜きボタン１１４の操作を可能／不可能な状態とした。
【００８３】
いずれの場合でも、不正に球抜きボタン１１４が操作され、球抜きされるべきパチンコ球が球皿部２４へと送られることを防止することができる。
【００８４】
また、第２の実施の形態では、プレート１１８を設けた構造とし、前記物理的に球抜きボタン１１４の操作を可能／不可能な状態とすることと、電気的に球抜きボタン１１４の操作を可能／不可能な状態とすることとを、結果的に併用した場合の例を示したが、第２の実施の形態では、プレート１１８は必須ではなく、切替弁１０８の位置がわかればよい。
【００８５】
【発明の効果】
以上説明した如く本発明では、球抜きを指示する指示操作部の操作性を維持しつつ、不正による球抜きを確実に防止することができるという優れた効果を有する。
【図面の簡単な説明】
【図１】第１の実施の形態に係るパチンコ機の正面図である。
【図２】第第１の実施の形態に係る遊技盤の正面図である。
【図３】第１の実施の形態に係るパチンコ機の背面図である。
【図４】第１の実施の形態に係る分岐部の斜視図である。
【図５】第１の実施の形態に係る分岐部を示し、（Ａ）は遊技球払出流路へ案内するときの正面図、（Ｂ）は図５（Ａ）のＶＢ−ＶＢ線断面図、（Ｃ）が遊技球抜取流路へ案内するときの正面図、（Ｄ）は図５（Ｃ）のＶＤ−ＶＤ線断面図である。
【図６】第２の実施の形態に係る分岐部を示し、（Ａ）は遊技球払出流路へ案内するときの正面図、（Ｂ）は図６（Ａ）のＶＩＢ−ＶＩＢ線断面図、（Ｃ）が遊技球抜取流路へ案内するときの正面図、（Ｄ）は図６（Ｃ）のＶＩＤ−ＶＩＤ線断面図である。
【図７】第２の実施の形態に係る抜取制御部とセンサとの接続状態を示す正面図である。
【図８】第２の実施の形態に係る切替弁派別ルーチンを示す制御フローチャートである。
【図９】第２の実施の形態に係る球抜き動作制御ルーチンを示すフローチャートである。
【図１０】第２の実施の形態の変形例に係るセンサの接続状態を示す正面図である。
【符号の説明】
１０    パチンコ機（遊技機）
２４    球皿部（受け皿）
３２    遊技盤
１００    貯留タンク
１０２    整列ユニット
１０４    案内路
１０６    分岐部
１０８    切替弁
１１０    遊技球払出流路
１１２    遊技球抜取流路
１１４    球抜きボタン（球抜指示操作部）
１１８    プレート（操作状態変更手段）
１１８Ａ    リブ
１１８Ｂ    主面
（第２の実施の形態）
１２０    第１のセンサ（操作状態変更手段）
１２２    第２のセンサ（操作状態変更手段）
１２８    球抜き操作制御部（球抜き操作有効手段、賞球払出操作有効手段）
【図１】
2004298535.tif 000003
【図２】
2004298535.tif 000004
【図３】
2004298535.tif 000005
【図４】
2004298535.tif 000006
【図５】
2004298535.tif 000007
【図６】
2004298535.tif 000008
【図７】
2004298535.tif 000009
【図８】
2004298535.tif 000010
【図９】
2004298535.tif 000011
【図１０】
2004298535.tif 000012